(57)【要約】【課題】アームアッセンブリの軸方向位置の連続的調整が可能で、かつ、サービス性をシムによる位置決めに比べて高めることができる可変動弁機構の提供。【解決手段】（１）コントロールシャフト２を軸方向に駆動してアームアッセンブリ５のバルブ打部７とカム被打部６の相対位相を変えバルブリフト量を変える可変動弁機構であって、テーパ面１９をもつアジャストスクリュウ１６と、アームアッセンブリ５とアジャストスクリュウ１６のテーパ面１９との間に介装されアジャストスクリュウ１９によりコントロールシャフト軸方向と平行な方向に位置を調整されてアームアッセンブリ５の位置を微調整する微調整子１７と、を備えた可変動弁機構。（２）アジャストスクリュウ１６が、コントロールシャフト軸方向に平行な方向と直交する方向に延び、かつ、カムキャリア１５に螺合されている。【選択図】    図１
2004316577.tif 000002
【特許請求の範囲】
【請求項１】
コントロールシャフトを軸方向に駆動してアームアッセンブリのバルブ打部とカム被打部の相対位相を変えバルブリフト量を変える可変動弁機構であって、テーパ面をもつアジャストスクリュウと、前記アームアッセンブリと前記アジャストスクリュウのテーパ面との間に介装され前記アジャストスクリュウによりコントロールシャフト軸方向と平行な方向に位置を調整されて前記アームアッセンブリの位置を微調整する微調整子と、を備えた可変動弁機構。
【請求項２】
前記アジャストスクリュウが、コントロールシャフト軸方向に平行な方向と直交する方向に延び、かつ、カムキャリアに螺合されている請求項１記載の可変動弁機構。
【発明の詳細な説明】
【０００１】
【発明の属する技術分野】
本発明は、内燃機関の可変動弁機構に関し、とくにバルブリフト量、作用角可変機構の気筒間調整を連続的に行うことができるようにした可変動弁機構に関する。
【０００２】
【従来の技術】
特開２００１−２６３０１５号公報は、コントロールシャフトを軸方向に駆動して、アームアッセンブリのバルブ打部とカム被打部の相対位相を変え、バルブリフト量を変える可変動弁機構を開示している。
従来の可変動弁機構では、アームアッセンブリは各気筒に対して設けられ、各気筒毎にアームアッセンブリがシリンダヘッドまたはカムキャリアに対して位置決めされる。位置決めは、通常、アームアッセンブリと、アームアッセンブリに対向するシリンダヘッド面またはカムキャリア面との間にシムを挿入することにより行っている。
【０００３】
【特許文献１】
特開２００１−２６３０１５号公報
【０００４】
【発明が解決しようとする課題】
しかし、従来のシムによるアームアッセンブリの軸方向位置決めには、
▲１▼  位置出しが段階的になり無段階の連続的位置出しができない、また、
▲２▼  位置出し精度を上げるには厚さの異なる多種類のシムを用意しなければならず、サービス性が悪い、
という問題があった。
本発明の目的は、アームアッセンブリの軸方向位置の連続的調整が可能で、かつ、サービス性をシムによる位置決めに比べて高めることができる可変動弁機構を提供することにある。
【０００５】
【課題を解決するための手段】
上記目的を達成する本発明はつぎの通りである。
（１）  コントロールシャフトを軸方向に駆動してアームアッセンブリのバルブ打部とカム被打部の相対位相を変えバルブリフト量を変える可変動弁機構であって、テーパ面をもつアジャストスクリュウと、前記アームアッセンブリと前記アジャストスクリュウのテーパ面との間に介装され前記アジャストスクリュウによりコントロールシャフト軸方向と平行な方向に位置を調整されて前記アームアッセンブリの位置を微調整する微調整子と、を備えた可変動弁機構。
（２）  前記アジャストスクリュウが、コントロールシャフト軸方向に平行な方向と直交する方向に延び、かつ、カムキャリアに螺合されている（１）記載の可変動弁機構。
【０００６】
上記（１）の可変動弁機構では、アジャストスクリュウと微調整子とで、アームアッセンブリのコントロールシャフト軸方向の位置調整をするので、無段階の連続的な位置決めを行うことができ、位置出しの精度を上げることができるとともに、厚さの異なる複数のシムを揃えておく必要もなくシムによる位置決めに比べてサービス性が向上する。
上記（２）の可変動弁機構では、アジャストスクリュウがコントロールシャフト軸方向に平行な方向と直交する方向に延びているため、開放した上方からアジャストスクリュウのねじ込み量を調整することができ、サービス性がよい。
【０００７】
【発明の実施の形態】
以下に、本発明の可変動弁機構を、図１〜図５を参照して説明する。
図３〜図５に示すように、本発明の可変動弁機構１１では、内燃機関のシリンダヘッド１４上に固定されたカムキャリア１５に、カムシャフト１が回転可能に支持されている。ただし、シリンダヘッドに支持されてもよい。その場合は、以下において、カムキャリア１５をシリンダヘッド１４と読み換えるものとする。少なくとも吸気側のカムシャフト１には、コントロールシャフト２が平行に配置されている。コントロールシャフト２はカムキャリア１５に回転可能にかつ軸方向に可動に支持されている。コントロールシャフト２は、その一端に連結されたアクチュエータ３により軸方向に駆動される。
【０００８】
各気筒２３に対してアームアッセンブリ５が設けられている。アームアッセンブリ５は、カムキャリア１５に対して軸方向位置決めされた後は、コントロールシャフト軸方向には移動せず、コントロールシャフト２の軸芯まわりに回転方向に揺動する。アームアッセンブリ５は、第１のアーム５ａと第２のアーム５ｂを有し、アーム５ａ、５ｂは互いに回転位相を変えることができる、すなわち、アーム５ａ、５ｂの相対角度は可変である。第１のアーム５ａにローラからなるカム被打部６を有し、第２のアーム５ｂは嘴状のバルブ打部７を有している。第１のアーム５ａには内周に第１の第１のヘリカルスプライン歯がきってあり、第２のアーム５ｂには内周に第１のヘリカルスプライン歯のヘリカル方向と逆方向の第２のヘリカルスプライン歯がきってある。
【０００９】
コントロールシャフト２にはスライダ４が固定されている。スライダ４には、外周に、第１のアーム５ａの内側に位置する部分に第１のアーム５ａの第１のスプライン歯に噛合するヘリカルスプライン歯と、第２のアーム５ｂの内側に位置する部分に第２のアーム５ｂの第２のスプライン歯に噛合するヘリカルスプライン歯とが切ってある。コントロールシャフト２が軸方向に駆動されると、スライダ４が同量、コントロールシャフト２軸方向に駆動される。スライダ４に異なる角度のヘリカルスプラインで噛合しているアームアッセンブリ５の第１のアーム５ａと第２のアーム５ｂとは、互いに逆方向に、コントロールシャフト軸芯まわりに回動し、アーム５ａ、５ｂのなす角度の中心位置を一定に維持したまま、アーム５ａ、５ｂのなす角度が大小に変わる。
【００１０】
アームアッセンブリ５は、カム被打部６で叩かれて、コントロールシャフト軸芯まわりに回動し、バルブ打部７でローラロッカー８のローラ９を叩いてローラロッカー８をラッシュアジャスタ１０の頭部を中心に揺動させ、ローラロッカー８のラッシュアジャスタ（または、回動の支点となる部材）１０と反対側の揺動端部でバルブ１４の頭部を叩いて、バルブスプリング１２の付勢力に抗してバルブ１２をリフトさせ、シリンダヘッド１４の吸気ポート１３（排気側に設けられる場合は可変動弁機構が設けられる場合は排気ポート）を開閉する。この時、上記のように、コントロールシャフト２の軸方向駆動によって、アーム５ａ、５ｂのなす角度の中心位置を一定に維持したまま、アーム５ａ、５ｂのなす角度が大小に変わると、ローラロッカー８の揺動角が大小に変わり、したがって、最大リフト位相角位置を一定に維持したまま、バルブ１１のリフト量、作用角が変わる。
【００１１】
アームアッセンブリ５は各気筒２３に対して設けられ、各気筒毎にカムキャリア１５に対して、コントロールシャフト軸方向に位置決めされる。エンジン組立時、またはサービスステーションでのエンジン再組立時には、何れの気筒に対しても、各アームアッセンブリ５が同じバルブリフト量、作用各でバルブ１１を開閉するように、アームアッセンブリ５の軸方向位置が気筒間調整される。
【００１２】
この位置調整を行うために、図１、図２に示すように、本発明の可変動弁機構は、テーパ面１９をもつアジャストスクリュウ１６と、アームアッセンブリ５とアジャストスクリュウ１６のテーパ面１９との間に介装されアジャストスクリュウ１６によりコントロールシャフト軸方向と平行な方向に位置を調整されてアームアッセンブリ５の位置を微調整する微調整子１７と、を備えている。
【００１３】
微調整子１７の軸方向端面２１がアームアッセンブリ５の軸方向端面２２に当接し、微調整子１７の軸方向他端のテーパ面２０がアジャストスクリュウ１６の下端に形成されたテーパ面１９に接触する。アジャストスクリュウ１６の位置がスクリュウ軸方向に変わると、微調整子１７のコントロールシャフト軸方向位置が変わるので、アジャストスクリュウ１６のねじ込み位置を調整することによって微調整子１７の軸方向位置を変えることができ、その結果、アームアッセンブリ５のコントロールシャフト軸方向位置を調整することができる。
【００１４】
アジャストスクリュウ１６は、コントロールシャフト軸方向に平行な方向と直交する方向にに延び、かつ、カムキャリア１５に螺合されている。図示例では、アジャストスクリュウ１６は上下方向に延び、ねじ込み量を変えることによりアジャストスクリュウ１６のテーパ面１９の上下方向位置が変わり、その結果、微調整子１７の軸方向位置を変えて、アームアッセンブリ５のコントロールシャフト軸方向位置を調整することができる。アームアッセンブリ５を位置決め後、アジャストスクリュウ１６がゆるまないようにロックナット１８にてロックし、カムキャリア１５に固定する。
【００１５】
アームアッセンブリ５の位置調整においては、各アームアッセンブリ５の軸方向両側にあるカムキャリア部分に、それぞれ、アジャストスクリュウ１６と微調整子１７を設ける。そして、アームアッセンブリ５の軸方向両側に設けたアジャストスクリュウ１６、微調整子１７のうち、一方の（軸方向一側に設けた）アジャストスクリュウ１６と微調整子１７でアームアッセンブリ５の位置出し、位置決めをし、一方の（軸方向他側に設けた）アジャストスクリュウ１６と微調整子１７でアームアッセンブリ５の軸方向位置を押さえるようにする。
その場合、平面視で、隣り合うアームアッセンブリごとに、位置出し用（押さえ用でない方）の微調整子１７が、コントロールシャフト２の反対側に位置し、互い違いになるように配置してもよいし（図２の配置）、あるいは、全アームアッセンブリに対して、位置出し用（押さえ用でない方）の微調整子１７が、コントロールシャフト２の同じ側に位置するように配置してもよい。
【００１６】
つぎに、本発明の可変動弁機構の作用を説明する。
アームアッセンブリをカムキャリアに対してコントロール軸方向に位置決めする場合に、従来は、アームアッセンブリの軸方向端面とそれに対向するカムキャリア面との間にシムを挿入していたが、無段階の連続的調整ができず、厚さの異なる多種類のシムを用意しなければならない、したがってサービス性に劣るという問題があった。
【００１７】
これに対し、本発明では、アジャストスクリュウ１６と微調整子１７とで、アームアッセンブリ５のコントロールシャフト軸方向の位置調整をするので、無段階の連続的な位置決めを行うことができ、位置出しの精度を上げることができる。また、厚さの異なる複数種類のシムを揃えておく必要もなくシムによる位置決めに比べてサービス性が格段に向上する。
【００１８】
また、アジャストスクリュウ１６がコントロールシャフト軸方向に平行な方向と直交する方向に延びているため、たとえば、図示例では上下方向に延びているため、開放した上方から、ヘッドボルトの締め込み方向と同方向から、アジャストスクリュウ１６のねじ込み量を調整することができ、サービス性がよい。
【００１９】
【発明の効果】
請求項１の可変動弁機構によれば、アジャストスクリュウと微調整子とで、アームアッセンブリのコントロールシャフト軸方向の位置調整をするので、無段階の連続的な位置決めを行うことができ、位置出しの精度、気筒間調整の精度を上げることができるとともに、厚さの異なる複数種類のシムを揃えておく必要もなくシムによる位置決めに比べてサービス性を向上させることができる。
請求項２の可変動弁機構によれば、アジャストスクリュウがコントロールシャフト軸方向に平行な方向と直交する方向に延びているため、開放した上方からアジャストスクリュウのねじ込み量を調整することができ、サービス性を向上させることができる。
【図面の簡単な説明】
【図１】本発明の可変動弁機構の、アジャストスクリュウ、微調整子近傍の断面図である。
【図２】図１の平面図である。
【図３】本発明の可変動弁機構の平面図である。
【図４】本発明の可変動弁機構のアームアッセンブリの斜視図である。
【図５】本発明の可変動弁機構のカムシャフト軸方向に見た正面図である。
【符号の説明】
１  カムシャフト
２  コントロールシャフト
３  アクチュエータ
４  スライダ
５  アームアッセンブリ
５ａ  第１のアーム
５ｂ  第２のアーム
６  ローラ
７  嘴
８  ローラロッカー
９  吸、排気バルブ
１０  ラッシュアジャスタ（または、回動の支点となる部材）
１１  バルブ
１２  バルブスプリング
１３  吸、排気ポート
１４  シリンダヘッド
１５  カムキャリア
１６  アジャストスクリュウ
１７  微調整子
１８  ロックナット
１９  テーパ面
２０  テーパ面
２１  微調整子の端面
２２  アームアッセンブリの軸方向端面
２３  気筒
【図１】
2004316577.tif 000003
【図２】
2004316577.tif 000004
【図３】
2004316577.tif 000005
【図４】
2004316577.tif 000006
【図５】
2004316577.tif 000007